(57)【要約】【課題】  保守員がエレベータ点検作業を行なう際に点検作業中であることを知らせるための立て札等を各階床の乗り場に配置する作業が省略できて保守員が費やす労力および時間を低減することができるとともにエレベータ利用者に対してそのエレベータ号機が点検中であることを確実に認識させること。【解決手段】  エレベータ１〜３は主制御装置１４〜１６および群管理制御装置１３により運行制御される。エレベータの乗り場には主制御装置１４〜１６に接続された乗り場位置表示器１０〜１２が設けられ、この乗り場位置表示器１０〜１２に主制御装置１４〜１６に接続された接続端子１０ｃ〜１２ｃが設けられている。この接続端子１０ｃ〜１２ｃは、エレベータの点検作業を開始する際に、モバイル機器１７が接続され、このモバイル機器１７から主制御装置１４〜１６に情報データが送信されることにより、主制御装置１４〜１６を介して乗り場位置表示器１０〜１２に点検作業状態にある旨の文字を表示する。【選択図】  図１
2005059994.tif 000002
【特許請求の範囲】
【請求項１】
エレベータの乗りかごを運行制御する制御装置と、各階床の乗り場に設けられ、前記制御装置に接続された乗り場位置表示器と、少なくとも一つの階床の乗り場に設けられ、エレベータの点検作業を開始する際にモバイル機器が接続されかつこのモバイル機器から前記制御装置に情報データが送信されることにより、前記制御装置を介して前記乗り場位置表示器に点検作業状態にある旨の文字を表示させる接続端子とを備えてなるエレベータの点検作業表示システム。
【請求項２】
前記接続端子を前記乗り場位置表示器に付属させたことを特徴とする請求項１に記載のエレベータの点検作業表示システム。
【発明の詳細な説明】
【技術分野】
【０００１】
本発明は、エレベータの点検作業表示システムに関する。
【背景技術】
【０００２】
エレベータは、昇降路の頂部に設置された電動機のシーブに吊りロープが巻き掛けられ、この吊りロープの一端部に乗りかごが吊下げられ、また他端部に釣り合い重りが吊下げられてつるべ式に構成され、電動機が制御装置により駆動制御されることにより、乗りかごおよび釣り合い重りが相反する方向に昇降するようになっている。
【０００３】
このようなエレベータに故障が発生した場合、またはエレベータに対して定期的なメンテナンスを実施する場合等において、エレベータ保守サービス会社は、現場に保守員を派遣して保守員に点検作業を行なわせるようにしている。
【０００４】
そして保守員が或るエレベータ号機に対して点検作業を行なおうとする際には、点検作業中はこの号機へのエレベータ利用者の乗り入れが禁止されることから、保守員は点検作業を開始する前に、この号機の各階床における乗り場に「点検作業中」と書かれた立て札や標識、垂れ幕等を配置して、その号機が点検作業中で乗降することができないものであることをエレベータ利用者に周知させるようにしている。
【０００５】
このような立て札等の配置により、エレベータ利用者は、他のエレベータ号機を利用したり、または階段を利用するなどして目的階へ行くことができ、点検作業中で開くはずのないエレベータドアの前に立ち止まって無駄な待ち時間を費やしてしまうことを防止することができる。
【０００６】
しかしながら、保守員が上記のような立て札等を各階床の乗り場に配置し、また配置した立て札等を点検作業終了後に回収する作業は、保守員に対して少なからぬ労力および時間の消費を強いるものであり、特に階床数が多い高いビル等においては、保守員が費やす労力および時間は一層大きなものとなってしまう。
【０００７】
そこで、エレベータの運転システムの中に予め、点検作業を実施する際に作動可能で、乗り場に設けられた乗り場呼びボタンと連動する点検スイッチを設けておき、保守員が点検作業を実施する際に点検スイッチを作動させることにより、エレベータ利用者が乗り場操作ボタンを操作すると、点検作業中であることをブザーや音声の出力、乗り場位置表示器での点滅表示等の報知を行なってエレベータ利用者に知らせるようにすることが提案されている。
【特許文献１】特開２００３−８１５５１
【発明の開示】
【発明が解決しようとする課題】
【０００８】
この場合、エレベータ利用者は、乗り場操作ボタンの操作を行なわないと、点検作業中であることがわからない。しかもエレベータ号機が複数台ある場合や周囲が騒がしい場合には、乗り場操作ボタンを操作した後ブザーや音声による報知があっても、どの号機が点検作業中であるかが判別しづらいおそれがある。また乗り場呼びボタンや乗り場位置表示器を点滅させる等の通常とは異なる表示による報知があっても、これが点検作業中であると認識しづらいといった問題がある。
【０００９】
そこで本発明は、上記の問題を解決するためになされたもので、保守員がエレベータ点検作業を行なう際に点検作業中であることを知らせるための立て札等を各階床の乗り場に配置する作業が省略できて保守員が費やす労力および時間を低減することができるとともに、エレベータ利用者に対してそのエレベータ号機が点検中であることを確実に認識させることのできるエレベータの点検作業表示システムを提供することを目的とする。
【課題を解決するための手段】
【００１０】
上記の課題を解決するため、本発明によるエレベータの点検作業表示システムは、エレベータの乗りかごを運行制御する制御装置と、各階床の乗り場に設けられ、制御装置に接続された乗り場位置表示器と、少なくとも一つの階床の乗り場に設けられ、エレベータの点検作業を開始する際にモバイル機器が接続されかつこのモバイル機器から制御装置に情報データが送信されることにより、制御装置を介して乗り場位置表示器に点検作業状態にある旨の文字を表示させる接続端子とを備えたことを特徴とする。
【発明の効果】
【００１１】
本発明によれば、乗り場位置表示器に点検作業状態にある旨の文字を表示させることにより、保守員については立て札等の配置に労力や時間を費やすことがなくなり、またエレベータ利用者については操作盤の乗り場呼び操作を行なおうとする時点で点検作業中であることを文字により目視でき、ブザーや音声による報知よりも容易にかつ確実に認識させることができ、エレベータドアの前に立ち止まって無駄な待ち時間を費やしてしまうことを防止できる。
【発明を実施するための最良の形態】
【００１２】
図１は本発明の一実施の形態を示すエレベータの点検作業表示システムの全体構成図、図２は図１に示す乗り場位置表示器の定常運転時の状態を示す正面図、図３は図１に示す乗り場位置表示器の点検作業時の状態を示す正面図である。
【００１３】
図１において、ビルの各階床には、例えば３台のエレベータ１，２，３が並べて設置されており、これらは１群として交通需要の変化に対応して効率的な運転管理が行なわれるように群管理制御方式で運行されている。各階床のエレベータ乗り場には、各エレベータの乗りかごにそれぞれ乗るために乗り場ドア４，５，６が設けられ、この乗り場ドア４，５，６の右側方に乗り場呼びボタンを有する操作盤７，８，９が設けられている。この操作盤７，８，９は、中間の階床の場合、上の階床へ移動するために乗りかごを呼ぶ上昇呼びボタンａと下の階床へ移動するための乗りかごを呼ぶ下降呼びボタンｂとが設けられ、これらが建物の壁に埋設された操作盤７，８，９に配置されている。また各操作盤７，８，９の上方に各エレベータの乗りかごの現在位置を表示する乗り場位置表示器１０，１１，１２が設けられている。乗り場位置表示器１０，１１，１２は、複数台のエレベータにおける個々の乗り場に対応して個々の乗りかごの現在位置を階床数字で表示するようになっている。
【００１４】
操作盤７，８，９の乗り場呼びボタンは、群管理制御装置１３に接続されている。群管理制御装置１３には、各エレベータ１，２，３の乗りかごを運行制御する主制御装置１４，１５，１６が接続されており、この各主制御装置１４，１５，１６に乗り場位置表示器１０，１１，１２が接続されている。
【００１５】
乗り場位置表示器（例えば１２）は、本実施の形態では、図２に示すように、図示右側部分に乗りかごの現在位置を階床数字で表示する数字表示用７セグＬＥＤ１２ａが設けられ、図示左側部分に点灯表示用ＬＥＤ１２ｂが設けられ、さらに隅角部に接続端子１２ｃが設けられている。点灯表示用ＬＥＤ１２ａの表面には、図３に示すように、「点検中」との文字が施された表示板１２ｄが配設され、点灯表示用ＬＥＤ１２ｂが点灯された際に「点検中」の文字が浮き上がって表示されるようになっている。また接続端子１２ｃは、後述する点検作業時に使用されるもので、携帯パソコン、携帯情報端末（ＰＤＡ）、携帯電話等のモバイル機器１７を接続して主制御装置１６に当該エレベータ号機に対して点検作業を開始する際の情報データを送信し、７セグＬＥＤ１２ａの動作を停止して消灯させる一方、点灯表示用ＬＥＤ１２ｂを点灯して、図３に示すように例えば「点検中」のように点検作業状態にある旨の文字を表示させるようになっている。この接続端子１２は、主制御装置１６に接続させるため、同様に主制御装置１６に接続されている乗り場位置表示器１２に付属させることが望ましい。他の位置表示器１０，１１についても同様に構成されている。
【００１６】
かかる構成を有するエレベータにおいて、各主制御装置１４，１５，１６は、それぞれのエレベータの乗りかごの位置および移動方向についての情報を個別に管理して運行制御しており、その情報データを群管理制御装置１３に出力している。したがって群管理制御装置１３は、操作盤７，８，９の乗り場呼びボタンの押下操作による登録信号を受信すると、各主制御装置１４，１５，１６が管理する各エレベータの乗りかごの位置と移動方向とに基づき、複数台のエレベータの中から１台の最適なエレベータを選定し、その選定されたエレベータを運行制御する主制御装置１４，１５，１６に対して選定状態を通知し、また非選定になった他のエレベータの主制御装置１４，１５，１６に対して非選定状態を通知して運行制御している。
【００１７】
ここで、いずれかのエレベータ号機に故障が発生した場合、またはエレベータ各号機に対して定期的なメンテナンスを実施する場合等が発生した際には、エレベータ保守サービス会社の保守員が当該エレベータ号機に対して点検作業を行なうことになる。この点検作業は次のように行なわれる。
【００１８】
保守員は、まず点検対象のエレベータ号機において、いずれかの階床の乗り場位置表示器１０，１１または１２に設けられた接続端子１０ｃ，１１ｃまたは１２ｃにケーブル１７ａを介してモバイル機器１７を接続し、モバイル機器１７から接続端子１２ｃを介して点検作業の情報データを主制御装置１６に送信する。主制御装置１６は運行停止情報データを群管理制御装置１３に送信するとともに乗り場位置表示器１６に対して表示切り換えの情報データを送信する。これにより当該エレベータ号機が停止し、乗り場位置表示器１２における７セグＬＥＤ１２ａが消灯する一方、点灯表示用ＬＥＤ１２ｂが点灯して「点検中」の文字が表示される。
【００１９】
点検作業終了後は、モバイル機器１７から主制御装置１６に対して点検作業終了の情報データを送信するか、またはモバイル機器１７を接続端子１２ｃから切り離すことにより点検作業を完了する。
【００２０】
このようにすれば、保守員が点検作業を開始する際に、乗り場位置表示器に点検作業状態にある旨を文字により表示することにより、エレベータ利用者に対して、点検作業中のエレベータ号機であることを知らせることができる。したがって保守員については、立て札等の配置に労力や時間を費やすことがなくなり、またエレベータ利用者については、操作盤の乗り場呼び操作を行なおうとする前に点検作業中であることを目視でき、ブザーや音声による報知よりも容易にかつ確実に点検作業中であることを認識することができ、他のエレベータ号機を利用したり、または階段を利用するなどして目的階へ行くことができて点検作業中で開くはずのないエレベータドアの前に立ち止まって無駄な待ち時間を費やしてしまうことを防止できる。
【００２１】
なお上記実施の形態では、群管理制御された複数台のエレベータについて説明したが、単機のエレベータにおいても同様に実施できる。また接続端子を各階床の乗り場位置表示器に付属させて設けた場合について説明したが、基準階の乗り場にのみ設けることができ、また乗り場位置表示器から離れた位置に設けることができる。さらに乗り場位置表示器における文字を点灯により表示する場合について説明したが、点滅させて表示するようにしてもよい。また乗り場位置表示器を数字表示用の７セグＬＥＤと点灯表示用ＬＥＤで構成した場合について説明したが、これに代えて液晶パネルや有機ＥＬ等の他の表示器を使用してかご位置表示と文字表示の切り替えを行なうようにすることもできる。
【図面の簡単な説明】
【００２２】
【図１】本発明によるエレベータの点検作業表示システムを示す全体構成図である。
【図２】図１に示す乗り場位置表示器の定常運転時の状態を示す正面図である。
【図３】図１に示す乗り場位置表示器の点検作業時の状態を示す正面図である。
【符号の説明】
【００２３】
１，２，３…エレベータ
４，５，６…乗り場ドア
７，８，９…操作盤
１０，１１，１２…乗り場位置表示器
１０ｃ，１１ｃ，１２ｃ…接続端子
１２ａ…７セグＬＥＤ
１２ｂ…点灯用ＬＥＤ
１２ｄ…表示板
１３…群管理制御装置
１４，１５，１６…制御装置
１７…モバイル機器
１７ａ…ケーブル
【図１】
2005059994.tif 000003
【図２】
2005059994.tif 000004
【図３】
2005059994.tif 000005